(57)【特許請求の範囲】
【請求項１】
起立した状態で重ね合わされた複数枚の用紙を分離しやすいように捌く紙捌き装置であって、
前記重ね合わされた複数枚の用紙を表裏から挟み込む一対の挟持板と、
前記重ね合わされた複数枚の用紙の下側端部に当接しながら前記複数枚の用紙の重ね合わせ方向に移動する扱き部材と、
前記扱き部材とともに前記複数枚の用紙の重ね合わせ方向に移動しながら、前記複数枚の用紙のうち前記扱き部材が当接することによって前記扱き部材の移動方向下流側に前記下側端部が湾曲した用紙と該用紙に対して前記扱き部材の移動方向上流側に重ね合わされた用紙との間に前記下側端部側から空気を吹き付ける空気吹付手段とを有し、
前記扱き部材は、前記複数枚の用紙の前記下側端部の辺が伸びる方向に一定の幅を具備し、当該幅方向における中央部分が前記扱き部材の移動方向下流側に突出するように湾曲して構成され、
前記一対の挟持板のうち前記扱き部材の移動方向下流側の挟持板は、下側端部が前記扱き部材の移動方向下流側に曲がっている紙捌き装置。
【請求項２】
請求項１に記載の紙捌き装置において、
前記扱き部材は、上下方向において前記扱き部材の移動方向下流側にくの字状に折れ曲がり、前記くの字を形成する２辺のうち下側の辺の、当該扱き部材の上端部から下ろした垂線に対して前記くの字の下側となる領域に貫通穴を有し、
前記空気吹付手段は、前記貫通穴を介して前記複数枚の用紙に空気を吹き付ける紙捌き装置。
【請求項３】
請求項１に記載の紙捌き装置において、
前記扱き部材は、上下方向において前記扱き部材の移動方向下流側にくの字状に折れ曲がり、
前記空気吹付手段は、前記くの字を形成する２辺のうち下側の辺から、前記扱き部材の前記くの字における内側の面に沿って前記複数枚の用紙に空気を吹き付ける紙捌き装置。
【発明の詳細な説明】
【技術分野】
【０００１】
本発明は、複数枚の用紙が重ね合わされた紙束を１枚ずつの用紙に分離しやすいように捌く紙捌き装置に関する。
【背景技術】
【０００２】
従来より、クレジットカードや携帯電話の利用明細書は、所定の用紙に利用明細情報が印字され、封筒に封入されて利用者に発送されているが、利用明細書を発送するクレジットカード会社や携帯電話会社のほとんどは、広告情報が掲載された印刷物を利用明細書とともに封筒に封入して利用者に発送している。
【０００３】
また、広告情報が掲載された印刷物が封筒に封入されてなるダイレクトメールやビジネスメールにおいても、複数の印刷物がダイレクトメールやビジネスメールの送付先に応じた組み合わせで封筒に同封され、発送されている。
【０００４】
このように複数の印刷物を１つの封筒に同封する場合は、まず、１つの封筒に同封する複数の印刷物を組み合わせる必要がある。従来より、複数の印刷物を組み合わせる場合は、組み合わされる複数の印刷物を、その種類毎に設けられたフィーダから１枚ずつフィードし、フィードされた印刷物を搬送する搬送経路上にて順次重ね合わせることが行われ、それにより、複数の印刷物が組み合わされている（例えば、特許文献１参照。）。そのため、印刷物を１枚ずつフィードするフィーダのそれぞれには、フィードされる印刷物がその種類毎に複数枚重ね合わされて供給されることになる。
【０００５】
搬送経路上で組み合わされた複数の印刷物は、その後、１つの封筒に封入されることになる。
【特許文献１】特開平７−１８６１号公報
【発明の開示】
【発明が解決しようとする課題】
【０００６】
しかしながら、上述したように印刷物等の用紙が複数枚重ね合わされた場合、重ね合わされた用紙どうしが静電気等の作用によって密着してしまい、フィーダにかけられた際、一度に複数枚の用紙がフィードされてしまう、いわゆるダブルフィードが生じてしまう虞れがある。そこで、複数枚重ね合わされた用紙をフィーダにかける際に、複数枚の用紙が重ね合わされた紙束を作業員が手作業で波打たせるように揺動させることにより、１枚ずつの用紙に分離しやすいように捌くことが行われているが、この作業は人手による作業であるため、一度に捌くことができる用紙の枚数には限度があり、１つのフィーダにかけられる用紙の枚数や、用紙がかけられるフィーダの数が多い場合、作業効率が著しく低下してしまうという問題点がある。
【０００７】
本発明は、上述したような従来の技術が有する問題点に鑑みてなされたものであって、重ね合わされた複数枚の用紙を人手によらずに分離しやすいように捌くことができる紙捌き装置を提供することを目的とする。
【課題を解決するための手段】
【０００８】
上記目的を達成するために本発明は、
起立した状態で重ね合わされた複数枚の用紙を分離しやすいように捌く紙捌き装置であって、
前記重ね合わされた複数枚の用紙を表裏から挟み込む一対の挟持板と、
前記重ね合わされた複数枚の用紙の下側端部に当接しながら前記複数枚の用紙の重ね合わせ方向に移動する扱き部材と、
前記扱き部材とともに前記複数枚の用紙の重ね合わせ方向に移動しながら、前記複数枚の用紙のうち前記扱き部材が当接することによって前記扱き部材の移動方向下流側に前記下側端部が湾曲した用紙と該用紙に対して前記扱き部材の移動方向上流側に重ね合わされた用紙との間に前記下側端部側から空気を吹き付ける空気吹付手段とを有し、
前記扱き部材は、前記複数枚の用紙の前記下側端部の辺が伸びる方向に一定の幅を具備し、当該幅方向における中央部分が前記扱き部材の移動方向下流側に突出するように湾曲して構成され、
前記一対の挟持板のうち前記扱き部材の移動方向下流側の挟持板は、下側端部が前記扱き部材の移動方向下流側に曲がっている。
また、前記扱き部材は、上下方向において前記扱き部材の移動方向下流側にくの字状に折れ曲がり、前記くの字を形成する２辺のうち下側の辺の、当該扱き部材の上端部から下ろした垂線に対して前記くの字の下側となる領域に貫通穴を有し、
前記空気吹付手段は、前記貫通穴を介して前記複数枚の用紙に空気を吹き付ける構成としてもよい。
また、前記扱き部材は、上下方向において前記扱き部材の移動方向下流側にくの字状に折れ曲がり、
前記空気吹付手段は、前記くの字を形成する２辺のうち下側の辺から、前記扱き部材の前記くの字における内側の面に沿って前記複数枚の用紙に空気を吹き付ける構成としたもよい。
【０００９】
上記のように構成された本発明においては、扱き部材が、重ね合わされた複数枚の用紙の一端部に当接しながら複数枚の用紙の重ね合わせ方向に移動すると、複数枚の用紙のうち扱き部材が一端部に当接している用紙は、その一端部が扱き部材の移動方向下流側に湾曲する。このように扱き部財が当接する用紙は、扱き部材の移動に伴って扱き部材の移動方向に順次変化していく。扱き部材に一端部が当接しなくなった用紙は、その一端部が湾曲しなくなるため、扱き部材が当接することによって一端部が湾曲した用紙と、その用紙に対して扱き部材の移動方向上流側に重ね合わされた用紙との間には一端部側に空間が生じる。そして、扱き部材とともに複数枚の用紙の重ね合わせ方向に移動する空気吹付手段によって、これらの用紙の間に一端部側から空気が吹き付けられる。すると、吹き付けられた空気が、これらの用紙の間に生じた空間から用紙間を通って反対側に抜け、それにより、複数枚の用紙が順次分離していくことになる。
【発明の効果】
【００１０】
以上説明したように本発明においては、重ね合わされた複数枚の用紙の一端部に当接しながら複数枚の用紙の重ね合わせ方向に移動する扱き部材と、扱き部材とともに複数枚の用紙の重ね合わせ方向に移動しながら、複数枚の用紙のうち扱き部材が当接することによって扱き部材の移動方向下流側に一端部が湾曲した用紙とこの用紙に対して扱き部材の移動方向上流側に重ね合わされた用紙との間に一端部側から空気を吹き付ける空気吹付手段とを有する構成としたため、空気吹付手段から吹き付けられた空気が、扱き部材の移動方向下流側に一端部が湾曲した用紙とこの用紙に対して扱き部材の移動方向上流側に重ね合わされた用紙との間に一端部側から入り込んでこれら用紙間を通って反対側に抜けることとなり、重ね合わされた複数枚の用紙を人手によらずに分離しやすいように捌くことができる。
【発明を実施するための最良の形態】
【００１１】
以下に、本発明の実施の形態について図面を参照して説明する。
【００１２】
図１は、本発明の紙捌き装置の実施の一形態を示す図であり、（ａ）は外観斜視図、（ｂ）は上面から見た図である。また、図２は、図１に示した扱きプレート６５とエアー供給ノズル６２の詳細な構造を示す図であり、（ａ）は外観斜視図、（ｂ）は側面から見た図である。
【００１３】
本形態は図１に示すように、重ね合わされた複数枚の用紙が載置される載置台３０と、載置台３０上にてそれぞれ互いに対向して配置された挟持板１０ａ，１０ｂ及び端面支え部材２０ａ，２０ｂと、載置台３０上に固定され、ばね３２を介して挟持板１０ａを支持する支持板３１ａと、載置台３０上に固定され、固定軸３４を介して挟持板１０ｂを支持する支持板３１ｂと、載置台３０上に載置された複数枚の用紙の載置台３０に接する側の一端部に当接しながら複数枚の用紙の重ね合わせ方向に移動する扱き部材である扱きプレート６５と、載置台３０上に載置された複数枚の用紙に対して、扱きプレート６５とともに複数枚の用紙の重ね合わせ方向に移動しながら、複数枚の用紙の載置台３０に接する一端部側から空気を吹き付ける空気吹付手段であるエアー供給ノズル６２と、エアー供給ノズル６２に空気を供給するエアー供給器６１とから構成されている。
【００１４】
端面支え部材２０ａ，２０ｂは、載置台３０の端面支え部材２０ａ，２０ｂと挟持板１０ａ，１０ｂによって囲まれた領域に載置された複数枚の用紙の端部を支えるものであって、載置台３０上に載置される用紙の大きさに合わせて互いの間隔を調節できるように移動自在に構成されている。
【００１５】
挟持板１０ａ，１０ｂは、載置台３０の端面支え部材２０ａ，２０ｂと挟持板１０ａ，１０ｂとによって囲まれた領域に載置された複数枚の用紙を表裏から挟み込んで支えるものであって、挟持板１０ｂが固定軸３４によって支持板３１ｂに固定されているとともに、挟持板１０ａがばね３２を介して支持板３１ａに固定されていることにより、複数枚の用紙を表裏から挟み込んだ状態で互いに間隔が可変となるように構成されている。
【００１６】
載置台３０には、端面支え部材２０ａ，２０ｂと挟持板１０ａ，１０ｂとによって囲まれた領域に表裏貫通した穴部３３が形成されており、この穴部３３に対向する領域に、扱きプレート６５と、エアー供給器６１から供給された空気を排出するエアー供給ノズル６２とが配置されている。それにより、エアー供給器６１から供給された空気が載置台３０の穴部３３が形成された領域に対してエアー供給ノズル６２によって吹き付けられることになる。そして、扱きプレート６５とエアー供給ノズル６２は、それぞれ、載置台３０の端面支え部材２０ａ，２０ｂと挟持板１０ａ，１０ｂとによって囲まれた領域に載置された用紙の重ね合わせ方向に支持軸６３によって穴部３３に対向しながら移動可能に構成されている。
【００１７】
また、図２に示すように、扱きプレート６５は、左右方向には湾曲し、上下方向にはくの字状に折れ曲がった形状を有し、くの字状の下側の辺部のうち、扱きプレート６５の上端部から降ろした垂線に対して下側となる領域に、表裏貫通した穴部６５ａが形成されている。エアー供給ノズル６２はその先端部が複数のエアー吹出口６４からなり、複数のエアー吹出口６４は、載置台３０の端面支え部材２０ａ，２０ｂと挟持板１０ａ，１０ｂとによって囲まれた領域に載置された用紙の重ね合わせ方向に直交する方向に配列され、扱きプレート６５の穴部６５ａから表出している。
【００１８】
以下に、上記のように構成された紙捌き装置１を用いた紙捌き方法について説明する。
【００１９】
図３は、図１に示した紙捌き装置１の載置台３０上に複数枚の印刷物４０が載置された状態を示す図である。
【００２０】
図３に示すように、重ね合わされた複数枚の印刷物４０は、載置台３０の端面支え部材２０ａ，２０ｂと挟持板１０ａ，１０ｂとによって囲まれた領域に、一端部が載置台３０に接するように載置され、挟持板１０ａ，１０ｂによって表裏から挟み込まれ、かつ、両端部が端面支え部材２０ａ，２０ｂによって支えられた状態となる。この際、載置台３０の端面支え部材２０ａ，２０ｂと押さえ部材１０ａ，１０ｂによって囲まれた領域には穴部３３が形成されているため、この領域に載置された印刷物４０はそれぞれの一部が穴部３３から表出することになる。
【００２１】
図４は、図１に示した紙捌き装置１にて載置台３０上に載置された印刷物４０を捌く際の動作を説明するための図であり、端面支え部材２０ｂ側から見た図である。
【００２２】
図４に示すように、重ね合わされた複数枚の印刷物４０を、その印刷物４０の一端部がそれぞれ載置台３０に当接するように載置台３０上に載置し、上述したように一対の挟持板１０ａ，１０ｂによって表裏から挟み込み、エアー供給器６１及びエアー供給ノズル６２を駆動させると、エアー供給器６１からエアー供給ノズル６２に空気が送られてエアー供給ノズル６２のエアー吹出口６４から空気が排出されるとともに、扱きプレート６５とエアー供給ノズル６２が挟持板１０ａ側から挟持板１０ｂ側に支持軸６３に沿って移動しはじめる。
【００２３】
扱きプレート６５は、印刷物４０の載置台３０に接している一端部に当接しているため、扱きプレート６５が挟持板１０ａ側から挟持板１０ａ側に支持軸６３に沿って移動すると、図４に示すように、印刷物４０の扱きプレート６５に接している一端部が、扱きプレート６５の移動方向下流側に湾曲する。このように扱きプレート６５が接する印刷物４０は、扱きプレート６５の移動に伴って挟持板１０ａ側の印刷物４０から挟持板１０ｂ側の印刷物４０に順次変化していく。そして、扱きプレート６５に一端部が当接しなくなった印刷物４０は、その一端部が湾曲しなくなるため、扱きプレート６５が当接することによって一端部が湾曲した印刷物４０と、その印刷物４０に対して扱きプレート６５の移動方向上流側に重ね合わされた印刷物４０との間には扱きプレート６５が当接する一端部側にて空間が生じる。なお、挟持板１０ｂは、扱きプレート６５によって印刷物４０が湾曲することを妨げないように、その下部の表面が扱きプレート６５とエアー供給ノズル６２の移動方向下流側に曲がっている。また、挟持板１０ｂが固定軸３４によって支持板３１ｂに固定されていることにより、扱きプレート６５が当接する印刷物４０の一端部のみが扱きプレート６５の移動方向に湾曲することになる。
【００２４】
エアー供給ノズル６２から排出された空気は、扱きプレート６５の穴部６５ａを介して印刷物４０に吹き付けられることになる。この際、扱きプレート６５の穴部６５ａが扱きプレート６５のくの字状の下側の辺部のうち扱きプレート６５の上端部から降ろした垂線に対して下側となる領域に形成されているため、エアー供給ノズル６２から排出された空気は、扱きプレート６５の上端部に当たることなく印刷物４０に吹き付けられる。また、エアー供給ノズル６２から排出された空気が吹き付けられる領域においては、上述したように、扱きプレート６５が当接することによって一端部が湾曲した印刷物４０と、その印刷物４０に対して扱きプレート６５の移動方向上流側に重ね合わされた印刷物４０との間にて空気が吹き付けられる一端部側にて空間が生じており、その空間にエアー供給ノズル６２から排出された空気が吹き付けられることになる。
【００２５】
エアー供給ノズル６２から排出された空気が、扱きプレート６５が当接することによって一端部が湾曲した印刷物４０と、その印刷物４０に対して扱きプレート６５の移動方向上流側に重ね合わされた印刷物４０との間の一端部側に生じた空間に吹き付けられると、この空間に吹き付けられた空気は、扱きプレート６５が当接することによって一端部が湾曲した印刷物４０と、その印刷物４０に対して扱きプレート６５の移動方向上流側に重ね合わされた印刷物４０との間を通って載置台３０とは反対側に抜け、それにより、扱きプレート６５が当接することによって一端部が湾曲した印刷物４０と、その印刷物４０に対して扱きプレート６５の移動方向上流側に重ね合わされた印刷物４０とがエアー供給ノズル６２から吹き付けられた空気によって一旦分離する。この際、挟持板１０ａが、ばね３２を介して支持板３１ａに支持されているので、挟持板１０ａ，１０ｂの間隔が、複数枚の印刷物４０間に入り込んだ空気の分だけ広がり、複数枚の印刷物４０が分離することを妨げることがない。
【００２６】
そして、扱きプレート６５とエアー供給ノズル６２が支持軸６３によって印刷物４０の重ね合わせ方向に移動することにより、載置台３０上に載置された複数枚の印刷物４０のそれぞれが、上述したように扱きプレート６５によって、扱きプレート６５に当接する一端部側が扱きプレート６５の移動方向下流側に湾曲するとともに、その湾曲した印刷物４０と、その印刷物４０に対して扱きプレート６５の移動方向上流側に重ね合わされた印刷物４０との間に生じた空間にエアー供給ノズル６２から空気が順次吹き付けられ、エアー供給ノズル６２から吹き付けられた空気が複数枚の印刷物４０間を通って反対側に抜け、それにより、載置台３０上に載置された複数枚の印刷物４０の全てが互いに一旦分離し、載置台３０上に載置された複数枚の印刷物４０が捌かれることになる。
【００２７】
図５は、図１に示した紙捌き装置１に用いられる扱きプレート及びエアー供給ノズルの他の形態を示す図であり、（ａ）は外観斜視図、（ｂ）は側面から見た図である。
【００２８】
図５に示すように、本形態における扱きプレート１６５は、左右方向には湾曲し、上下方向にはくの字状に折れ曲がった形状を有している。エアー供給ノズル１６２はその先端部が複数のエアー吹出口６４からなり、複数のエアー吹出口６４は、載置台３０の端面支え部材２０ａ，２０ｂと挟持板１０ａ，１０ｂとによって囲まれた領域に載置された用紙の重ね合わせ方向に直交する方向に配列され、扱きプレート１６５のくの字状の下側の辺部上に、くの字状の上側の辺部に向かって下側の辺部に沿って空気を排出するように配置されている。
【００２９】
以下に、上記のように構成された捌きプレート１６５及びエアー供給ノズル１６２を図１に示した紙捌き装置１に用いた場合の紙捌き方法について説明する。
【００３０】
図６は、図５に示した捌きプレート１６５及びエアー供給ノズル１６２を図１に示した紙捌き装置１に用いた場合の紙捌き方法を説明するための図であり、端面支え部材２０ｂ側から見た図である。
【００３１】
図６に示すように、重ね合わされた複数枚の印刷物４０を、その印刷物４０の一端部がそれぞれ載置台３０に当接するように載置台３０上に載置し、上述したように一対の挟持板１０ａ，１０ｂによって表裏から挟み込み、エアー供給器６１及びエアー供給ノズル１６２を駆動させると、エアー供給器６１からエアー供給ノズル１６２に空気が送られてエアー供給ノズル１６２のエアー吹出口６４から空気が排出されるとともに、扱きプレート１６５とエアー供給ノズル１６２が挟持板１０ａ側から挟持板１０ｂ側に支持軸６３に沿って移動しはじめる。
【００３２】
扱きプレート１６５は、印刷物４０の載置台３０に接している一端部に当接しているため、扱きプレート１６５が挟持板１０ａ側から挟持板１０ａ側に支持軸６３に沿って移動すると、図６に示すように、印刷物４０の扱きプレート１６５に接している一端部が、扱きプレート１６５の移動方向下流側に湾曲する。このように扱きプレート１６５が接する印刷物４０は、扱きプレート１６５の移動に伴って挟持板１０ａ側の印刷物４０から挟持板１０ｂ側の印刷物４０に順次変化していく。そして、扱きプレート１６５に一端部が当接しなくなった印刷物４０は、その一端部が湾曲しなくなるため、扱きプレート１６５が当接することによって一端部が湾曲した印刷物４０と、その印刷物４０に対して扱きプレート１６５の移動方向上流側に重ね合わされた印刷物４０との間には扱きプレート１６５が当接する一端部側にて空間が生じる。なお、挟持板１０ｂは、扱きプレート１６５によって印刷物４０が湾曲することを妨げないように、その下部の表面が扱きプレート１６５とエアー供給ノズル１６２の移動方向下流側に曲がっている。
【００３３】
エアー供給ノズル１６２から排出された空気は、扱きプレート１６５のくの字状の下側の辺部に沿って上側の辺部に向かって吹き付けられ、さらに、くの字状の上側の辺部に沿って流れていき、上記のようにして生じた空間に吹き付けられることになる。
【００３４】
エアー供給ノズル６２から排出された空気が、扱きプレート１６５が当接することによって一端部が湾曲した印刷物４０と、その印刷物４０に対して扱きプレート１６５の移動方向上流側に重ね合わされた印刷物４０との間の一端部側に生じた空間に吹き付けられると、この空間に吹き付けられた空気は、扱きプレート１６５が当接することによって一端部が湾曲した印刷物４０と、その印刷物４０に対して扱きプレート１６５の移動方向上流側に重ね合わされた印刷物４０との間を通って載置台３０とは反対側に抜け、それにより、扱きプレート１６５が当接することによって一端部が湾曲した印刷物４０と、その印刷物４０に対して扱きプレート１６５の移動方向上流側に重ね合わされた印刷物４０とがエアー供給ノズル１６２から吹き付けられた空気によって一旦分離する。この際、挟持板１０ａが、ばね３２を介して支持板３１ａに支持されているので、挟持板１０ａ，１０ｂの間隔が、複数枚の印刷物４０間に入り込んだ空気の分だけ広がり、複数枚の印刷物４０が分離することを妨げることがない。
【００３５】
そして、扱きプレート１６５とエアー供給ノズル１６２が支持軸６３によって印刷物４０の重ね合わせ方向に移動することにより、載置台３０上に載置された複数枚の印刷物４０のそれぞれが、上述したように扱きプレート１６５によって、扱きプレート１６５に当接する一端部側が扱きプレート１６５の移動方向下流側に湾曲するとともに、その湾曲した印刷物４０と、その印刷物４０に対して扱きプレート１６５の移動方向上流側に重ね合わされた印刷物４０との間に生じた空間にエアー供給ノズル１６２から空気が順次吹き付けられ、エアー供給ノズル１６２から吹き付けられた空気が複数枚の印刷物４０間を通って反対側に抜け、それにより、載置台３０上に載置された複数枚の印刷物４０の全てが互いに一旦分離し、載置台３０上に載置された複数枚の印刷物４０が捌かれることになる。
【００３６】
なお、上述した実施の形態においては、扱きプレート６５，１６５及びエアー供給ノズル６２，１６２が、支持軸６３によって印刷物４０の重ね合わせ方向に穴部３３に対向しながら移動する構成としているが、扱きプレート６５，１６５及びエアー供給ノズル６２，１６２を固定するとともに載置台３０を印刷物４０の重ね合わせ方向に移動させることにより扱きプレート６５，１６５及びエアー供給ノズル６２，１６２と載置台３０との相対位置を変化させ、エアー供給ノズル６２，１６２から排出された空気が吹き付けられる印刷物４０を変えていく構成とすることも考えられる。
【図面の簡単な説明】
【００３７】
【図１】本発明の紙捌き装置の実施の一形態を示す図であり、（ａ）は外観斜視図、（ｂ）は上面から見た図である。
【図２】図１に示した扱きプレートとエアー供給ノズルの詳細な構造を示す図であり、（ａ）は外観斜視図、（ｂ）は側面から見た図である。
【図３】図１に示した紙捌き装置の載置台上に複数枚の印刷物が載置された状態を示す図である。
【図４】図１に示した紙捌き装置にて載置台上に載置された印刷物を捌く際の動作を説明するための図である。
【図５】図１に示した紙捌き装置に用いられる扱きプレート及びエアー供給ノズルの他の形態を示す図であり、（ａ）は外観斜視図、（ｂ）は側面から見た図である。
【図６】図５に示した捌きプレート及びエアー供給ノズルを図１に示した紙捌き装置に用いた場合の紙捌き方法を説明するための図である。
【符号の説明】
【００３８】
１    紙捌き装置
１０ａ，１０ｂ    挟持板
２０ａ，２０ｂ    端面支え部材
３０    載置台
３１ａ，３１ｂ    支持板
３２    ばね
３３，６５ａ    穴部
３４    固定軸
４０    印刷物
６１    エアー供給器
６２，１６２    エアー供給ノズル
６３    支持軸
６４    エアー吹出口
６５，１６５    扱きプレート
【図１】
0004903105.tif 000002
【図２】
0004903105.tif 000003
【図３】
0004903105.tif 000004
【図４】
0004903105.tif 000005
【図５】
0004903105.tif 000006
【図６】
0004903105.tif 000007